(57)【要約】      （修正有）【課題】雨水を地下貯水槽に供給する雨水供給管の改善を図った地下貯水槽を提供する。【解決手段】地下貯水槽１は、雨水供給管Ｐを介して供給される水を滞水材２を積層して形成した積層体の空所Ｓに貯留する地下貯水槽１であって、前記積層体の上面に支持され、前記積層体の側面に沿う断面Ｌ字形状のＬ型支持部材７と、前記積層体に鉛直方向に形成された鉛直穴２ａと、Ｌ型支持部材７に雨水供給管Ｐを支持する穴７ａと、雨水供給管Ｐの中途はＬ型支持部材７の穴７ａの縁部に支持され、雨水供給管Ｐの先端は、鉛直穴２ａに面するように配置されている。【選択図】図６
2008280696.tif 000002
【特許請求の範囲】
【請求項１】
雨水供給管を介して供給される水を滞水材を積層して形成した積層体の空所に貯留する地下貯水槽であって、
前記積層体の上面に支持され、前記積層体の側面に沿う断面Ｌ字形状のＬ型支持部材と、
前記積層体に鉛直方向に形成された鉛直穴と、
前記Ｌ型支持部材に前記雨水供給管を支持する穴と、
前記雨水供給管の中途は前記Ｌ型支持部材の穴の縁部に支持され、前記雨水供給管の先端は、前記鉛直穴に面するように配置されている
ことを特徴とする地下貯水槽。                             
【請求項２】
雨水供給管を介して供給される水を滞水材を積層して形成した積層体の空所に貯留する地下貯水槽であって、
前記積層体に鉛直方向に形成された鉛直穴と、
この鉛直穴に連通すると共に、前記積層体の上面に支持された地上からの点検用の筒体と、
この点検用の筒体の側壁に設けられた前記雨水供給管を支持する穴と、
前記雨水供給管の中途は前記筒体の穴の縁部に支持され、前記雨水供給管の先端は、前記筒体内に面するように配置されている
ことを特徴とする地下貯水槽。   
【請求項３】
積層体の底部には、防水シート又は透水シートが設けられ、前記防水シート又は前記透水シートの上であって、鉛直穴を塞ぐように設けられた平板状部材を有する
こと特徴とする請求項１又は２記載の地下貯水槽。
【発明の詳細な説明】
【技術分野】
【０００１】
本発明は、地下貯水槽に係り、特に、雨水を地下貯水槽に供給する雨水供給管の改善を図った地下貯水槽に関する。
【０００２】
従来、例えば、滞水材を積層して形成した積層体の空所に貯留する地下貯水槽がある（例えば、特許文献１参照）。
このような地下貯水槽にあっては、雨水供給管を地下貯水槽に供給する場合、例えば  、上記積層体に垂直方向に垂直穴を形成すると共に、該垂直穴の上から筒体を上方から挿入し、挿入された筒体の側壁の穴に雨水供給管を支持し、雨水供給管の先端を、前記筒体内に臨むように配置することが考えられる。
【０００３】
【特許文献１】特許第３７３９２９６号公報
【発明の開示】
【発明が解決しようとする課題】
【０００４】
しかしながら、上記の筒体は、積層体の垂直方向に設けられた垂直穴に挿入する形状で、該筒体は大きくならざるを得ず、設置も大がかりとなり、施工も容易でないという問題点があった。
【０００５】
本発明は、上記の問題点を除去するようにした地下貯水槽を提供することを目的とする。
【課題を解決するための手段】
【０００６】
本発明の地下貯水槽は、雨水供給管を介して供給される水を滞水材を積層して形成した積層体の空所に貯留する地下貯水槽であって、前記積層体の上面に支持され、前記積層体の側面に沿う断面Ｌ字形状のＬ型支持部材と、前記積層体に鉛直方向に形成された鉛直穴と、前記Ｌ型支持部材に前記雨水供給管を支持する穴と、前記雨水供給管の中途は前記Ｌ型支持部材の穴の縁部に支持され、前記雨水供給管の先端は、前記鉛直穴に面するように配置されているものである。
【０００７】
また、請求項２記載の地下貯水槽は、雨水供給管を介して供給される水を滞水材を積層して形成した積層体の空所に貯留する地下貯水槽であって、前記積層体に鉛直方向に形成された鉛直穴と、この鉛直穴に連通すると共に、前記積層体の上面に支持された地上からの点検用の筒体と、この点検用の筒体の側壁に設けられた前記雨水供給管を支持する穴と、前記雨水供給管の中途は前記筒体の穴の縁部に支持され、前記雨水供給管の先端は、前記筒体内に面するように配置されているものである。
【０００８】
また、請求項３記載の地下貯水槽は、請求項１又は２記載の地下貯水槽において、積層体の底部には、防水シート又は透水シートが設けられ、前記防水シート又は前記透水シートの上であって、鉛直穴を塞ぐように設けられた平板状部材を有するものである。
【発明の効果】
【０００９】
請求項１記載の地下貯水槽によれば、雨水を地下貯水槽に供給する雨水供給管の中途はＬ型支持部材の穴の縁部に支持され、前記雨水供給管の先端を、積層体に鉛直方向に形成された鉛直穴に面するように配置されているため、雨水供給管を従来のような大掛かりとならずに、地下貯水槽を設置することができる。
【００１０】
また、請求項２記載の地下貯水槽によれば、雨水を地下貯水槽に供給する雨水供給管の中途は筒体の穴の縁部に支持され、前記雨水供給管の先端を、前記筒体内に面するように配置されているため、点検用の筒体を利用して、雨水供給管を従来のような大掛かりとならずに、地下貯水槽を設置することができる。
【００１１】
また、請求項３記載の地下貯水槽によれば、前述した請求項１又は２記載の発明の効果に加え、積層体の底部には、防水シート又は透水シートが設けられ、前記防水シート又は前記透水シートの上であって、鉛直穴を塞ぐように設けられた平板状部材を有するため  、鉛直穴に流下する水の圧力又は鉛直穴に貯留した水の重さで防水シート又は透水シートが破損するのを防ぐことができる。
【発明を実施するための最良の形態】
【００１２】
本発明の地下貯水槽の一実施例を図面を参照して説明する。
図１乃至図６において、１は地下に埋設されて雨水を貯留する地下貯水槽で、地下貯水槽１内の水は、滞水材２（特許第３７３９２９６号の図３記載の滞水材３０）を積層して形成した積層体の空所Ｓに貯留されるようになっている。滞水材２を、例えば、一層毎に９０°方向を変えて鉛直方向に積層していく。
なお、図４に示すＯは、地下を掘り下げて形成された凹所である。また、滞水材２を積層して形成した積層体の周囲は、防水シート３で覆われ、地下貯水槽１内へは、雨水供給管Ｐを介して水が供給されるようになっている。また、地下貯水槽１には、地下貯水槽１内の水を地下貯水槽１の外へと導く排出管（図示せず）も設けられている。
なお、地下貯水槽１内の水を地下に浸透させる場合にあっては、防水シート３の代わりに透水シートでも良い。
【００１３】
また、滞水材２を積層して形成した積層体には、鉛直方向に鉛直穴２ａが形成されている。鉛直穴２ａは、例えば、鉛直穴２ａが形成される部分に滞水材２を積層しないで形成することができる。また、鉛直穴２ａは、これに限らず、図示しないが、滞水材２の一部を切り欠き、該切り欠いた部分を鉛直方向に一致させるようにして滞水材２を積層して形成することができる。
【００１４】
鉛直穴２ａの上には点検用の筒体４が、鉛直穴２ａの下には平板状部材５が、それぞれ形成されている。
点検用の筒体４は、鉛直穴２ａに連通すると共に、滞水材２を積層して形成した積層体の上面に支持され、地下貯水槽１内の水の状態、地下貯水槽１内の土砂等の蓄積状態等を地上から確認するためのものである。この点検用の筒体４は、大きさは問わないが、例えば、作業者が入れる大きさの円筒形のマンホール筒体であっても良い。
また、平板状部材５は、鉛直穴２ａに流下する水の圧力又は鉛直穴２ａ内の水の重量が防水シート３（又は、図示しない透水シート）に直接かからないようにして防水シート３（又は、図示しない透水シート）が破損するのを防ぐためのものである。
【００１５】
また、７はＬ型支持部材で、Ｌ型支持部材７は、滞水材２を積層して形成した積層体の上面に支持され、前記積層体の側面に沿う断面Ｌ字形状となっている。このＬ型支持部材７には雨水供給管Ｐを支持する穴７ａが設けられ、雨水供給管Ｐの中途はＬ型支持部材７の穴７ａの縁部に支持され、雨水供給管Ｐの先端は、鉛直穴２ａに面するように配置されている。なお、図３及び図４においては、雨水供給管Ｐの先端は、鉛直穴２ａに達するように設けられているが、本願発明にあっては、これに限らず、雨水供給管Ｐの先端が鉛直穴２ａに達する手前であっても良く、要は、雨水供給管Ｐの先端よりの水が、鉛直穴２ａに導かれるように、雨水供給管Ｐの先端が鉛直穴２ａに面するように構成されていれば良い。また、７ｂは、筒体４に連通する穴である。
【００１６】
従って、上述した地下貯水槽１によれば、雨水を地下貯水槽１に供給する雨水供給管Ｐの中途はＬ型支持部材７の穴７ａの縁部に支持され、雨水供給管Ｐの先端は、積層体に鉛直方向に形成された鉛直穴２ａに面するように配置されているため、雨水供給管Ｐを従来のような大掛かりとならずに、地下貯水槽１を設置することができる。
なお、図６において、防水シート３（又は、図示しない透水シート）は、Ｌ型支持部材７の下に位置しているが、図示しないが、逆に、防水シート３（又は、図示しない透水シート）の上にＬ型支持部材７が位置するように構成されていても良い。
【００１７】
また、上述した実施例においては、雨水供給管Ｐの支持をＬ型支持部材７によったが  、本願発明にあっては、これに限らず、例えば、図７に示すように、点検用の筒体４に支持するようにしても良い。
即ち、図７に上述した部分と同一部分に同一符号を付して説明すると、１は、雨水供給管Ｐを介して供給される水を滞水材２を積層して形成した積層体の空所Ｓに貯留する地下貯水槽である。
２ａは、滞水材２を積層して形成した積層体に鉛直方向に形成された鉛直穴で、この鉛直穴２ａには、地上からの点検用の筒体４が連通すると共に、点検用の筒体４は、滞水材２を積層して形成した積層体の上面に支持されている。
【００１８】
従って、この地下貯水槽１によれば、上述した実施例の地下貯水槽１と同様に、雨水を地下貯水槽１に供給する雨水供給管Ｐの中途は筒体４の穴４ａの縁部に支持され、雨水供給管Ｐの先端は、筒体４内に面するように配置されているため、点検用の筒体４を利用して、雨水供給管Ｐを従来のような大掛かりとならずに、地下貯水槽１を設置することができる。
なお、図７において、平板状部材５に土砂等をある程度、貯留する環状の立ち上がり壁５ａを設け、立ち上がり壁５ａにより滞水材２への土砂等の侵入を防ぐようにしても良い。
【図面の簡単な説明】
【００１９】
【図１】図１は、本発明の一実施例の地下貯水槽の概略的平面図である。
【図２】図２は、図１の地表の一部を取り除いて示す概略的平面図である。
【図３】図３は、図２のＸ−Ｘ線による概略的断面図である。
【図４】図４は、図３の一部を拡大して示す概略的一部拡大断面図である。
【図５】図５は、図４の矢印Ｙ方向から見た概略的図である。
【図６】図６は、図３を分解すると共に、斜め上方より見た概略的斜視図である。
【図７】図７は、図６記載の地下貯水槽と異なる他の実施例の地下貯水槽の概略的断面図である。
【符号の説明】
【００２０】
１        地下貯水槽
２        滞水材
２ａ      鉛直穴
７        Ｌ型支持部材
７ａ      穴
Ｐ        雨水供給管
【図１】
2008280696.tif 000003
【図２】
2008280696.tif 000004
【図３】
2008280696.tif 000005
【図４】
2008280696.tif 000006
【図５】
2008280696.tif 000007
【図６】
2008280696.tif 000008
【図７】
2008280696.tif 000009